Podtech/llm-jp-corpus-v4-ja_patent huggingface dataset:
(57)【要約】【課題】口腔内全てを、短時間で、掻きだす事がなく、歯茎を傷つける事がなく、磨き残しのない、歯ブラシを提供すること。【解決手段】長手ロット状の柄部の一方の端部を、湾曲して植毛基台部の中心に取り付け、２０度の角度をもった事により、口腔内に歯ブラシが入ったとき、前の歯を飛び越えて、植毛基台部の植毛が、奥の歯全てに当たるのと、手に握った磨く力が植毛基台部の中心に集まるので、歯ブラシの先で、磨くのではなく、植毛基台部の植毛全てで磨く事ができる。【選択図】図３
2005198997.tif 000002
【特許請求の範囲】
【請求項１】
長手ロッド状ノ一方の端部を、湾曲させて、植毛基台部の中心に接続させた。歯ブラシ。
【請求項２】
長手ロット状の柄部の一方の端部を、湾曲させて、植毛基台部の中心に接続させる時、長手ロット状の柄部を底辺として２０度の角度を持つことにした。歯ブラシ。
【発明の詳細な説明】
【技術分野】
【０００１】本発明は、口腔内の上前歯奥歯、裏側の前歯奥歯、歯肉と、下前歯奥歯、裏側の前歯奥歯、歯肉、を容易に、短時間で、清掃出来る、新規な構造の歯ブラシに関する物である。特に、奥の裏側上下に対してブラシの刷毛部分が全て均等な力で清掃できる。
【背景技術】
【０００２】口腔内の歯や歯肉の清掃や、マッサージは、衛生上、重要であり、歯みがきは、歯面や歯間に付着した食べ滓や歯垢を除去すると共に、歯肉のマッサージによって血行を促進する事を目的とするものである。従来から、提案されているものは裏側の奥歯や歯肉を磨くのには、時間をかけて、歯ブラシの先の方を歯に当てて、歯ブラシを使用する者が、柄部を把持する手の角度や動かす方向等を多様に変化させて、歯磨きを行なう必要があった。しかし、これは極めて磨き難く、磨き残し部分が生じる事が多大であり、これを毎日毎日繰り替えしていると、少しずつ虫歯になってしまう事になるのです。【０００３】幼児や高齢者や身体障害者等の方々にとって、口腔内全ての歯、歯肉、舌、等を清掃するには、１０分から２０分はかかってしまいます。この長い時間を口の中に入れて磨いているうち歯茎や磨かなくてもいいところを傷つけやすいのです。
そして、従来の歯ブラシは、歯に当たる部分がブラシの先から半分しか当たらないので、歯ブラシを手に持って掻きだすという行為になるのです。
【発明の開示】
【発明が解決しようとする課題】
【０００４】本発明は、歯磨きに際して使用する事により、口腔内の全ての歯、歯肉、歯垢に対して時間をかけずに、磨けるようにし、柄部を持つ手も、楽な角度で磨き易く、幼児や高齢者や身体障害者等の方々にとって容易にできるように、また、一人で磨けない人も、少し口を開けるだけで口腔内全ての歯、歯肉、歯垢、を短時間で磨ける様に。
口腔内の歯茎や内側の頬の皮等を磨き過ぎで傷つけたりしないようにする。
歯ブラシの先の方だけを使い、掻きだすような磨き方はしない。
歯ブラシの弾力を使い余計な力で磨く事がない。
【課題を解決するための手段】
【０００５】以下、このような課題を解決するために本発明の態様を記載する。また、本発明の技術的特徴は、明細書全体及び図面に記載され、発明思想に基ずいて認識されるものであることが理解されるべきである。【０００６】本発明の第一の態様は、長手ロッド状の柄部の一方の端部を湾曲させて植毛基台部の中心に接続させ、長手ロッド状を底辺にして２０度の角度にした。柄部と植毛基台部に、５ミリの間隔をあけた。これで、植毛基台部が少し突き出たことになる。
この、少し突き出たことで、口の中に入り前の歯を飛び越えて植毛基台部の刷毛の全部が裏側の歯、歯肉に接触し軽く動かすだけで磨く事ができる。植毛基台部の中心に長手ロッド状の柄部が接続されているので柄部を握った磨く力が、植毛基台部の中心に集まり植毛基台部の刷毛が全て同じ磨く力が加わる。これで掻きだす様な行為はなくなり、歯ブラシの弾力を使った力もいりません。磨きたい所に刷毛全てに磨く力が伝わるので余分な力や何度も同じ所を磨いて歯茎や柔らかい皮膚等を傷つける事はないのです。幼児や高齢者や身体障害者の方々にとっても短時間で裏側の奥歯等も清掃できます。人を磨いてあげる人も口を大きく開けさせて覗く事をしないで磨いてあげることができます。
【発明の効果】
【０００７】本発明の歯ブラシは、口腔内の全てを清掃するのにあたり前奥上下にしては、刷毛がすべてあたり清掃でき、左右上下の歯、歯肉にあたっては、植毛基台部の中心に接触した湾曲の部分が内側の頬にあたり空洞をつくります、そのため、植毛基台部の刷毛に均等に磨く力が加わったブラシが奥まで届くので奥の隅々まで磨くことができます。少し突き出た植毛基台部は、裏側の奥の歯、歯肉を軽く少しの動きで清掃する事が出き、長手ロッド状の柄部を持った手も、楽な動きですむため、掻きだす様な事は無く口腔内の清掃の時、余分なところを磨きすぎて傷つけたり長い時間をかけてごしごしする事もなく、磨き残しもなく口腔内を綺麗に清掃することができる。
【発明を実地するための最良の形態】
【０００８】２ｃｍ幅の円筒１３ｃｍ、５ｍｍ幅の円筒６ｃｍ合計１９ｃｍの手長ロット状の細い方を湾曲して、２．２〜２．５ｃｍの長さの植毛基台部の中心に接続させ植毛基台部の長さを中心点にして、角度２０度に傾けた。
【実地例】
【０００９】市販されている歯ブラシを、改良して作り試してみたところ、口腔内の全てをより良く磨ける。特に歯の裏側に対しては、歯ブラシの先で、掻きだす事もなく、ブラシ全てが、歯と歯の間にいきわたるので、食べ滓や歯垢も綺麗に取り除く事ができる。
【産業上の利用可能性】
【００１０】短時間で、口腔内を綺麗に清掃ができ、手動でするため歯茎のマッサージにもなり、歯槽膿漏も防げる。
【図面の簡単な説明】
【００１１】
【図１】 
【００１２】  本発明の実地形態としての歯ブラシ１０示す正面図である。【図２】 
【００１３】  図１に示された歯ブラシ１０の平面図である。【図３】 
【００１４】  図１に示された歯ブラシ１０を用いた歯磨きの状態をしめす説明図である。
【符号の説明】
１０  歯ブラシ
１２  柄部
１３  刷毛
１８  ネック部
１９  植毛基台部
２３  植毛基台部の長さの中心点
２５  細い部分の柄部
２９  ネック部と植毛基台部の接続面
３０  角度２０度
３１  隙間５ｍｍ
４０  歯ブラシに加わる力
【図１】
2005198997.tif 000003
【図２】
2005198997.tif 000004
【図３】
2005198997.tif 000005
(57)【要約】      （修正有）【課題】本考案は線材を折曲してネクタイ掛け部を設けたネクタイハンガーを提供する。【解決手段】  折曲した線材１の両先２をＬ字形に曲げた形と底線の掛け部３、フック４で構成されていることを特徴とするネクタイハンガー。【選択図】図１
2005198993.tif 000002
【特許請求の範囲】
【請求項１】
折曲した線材１の両先２をＬ字形に曲げた形と底線の掛け部３で構成されていることを特徴とするネクタイハンガー。
【発明の詳細な説明】
【技術分野】
【０００１】  本発明は、折曲した線材１の両先２をＬ字形に曲げその間からネクタイ５を通し掛け部３に保持できる形成よりなるネクタイハンガーに関するものである。
【背景技術】
【０００２】  従来よりネクタイの収納は難しく、ネクタイが取り出しやすく収納も簡単で場所も取らなく柄も一目瞭然に見えるネクタイハンガーは、必ずしも充分には提案されていない。同じ目的とするネクタイハンガーはすでに数々販売されてはいるがどれも場所を取ったり、重ねるため柄が見えにくかったり収納に手間がかかったりする欠点があった。
【発明の開示】
【発明が解決しようとする課題】
【０００３】  本発明は、ネクタイを取り出しやすく収納も簡単で柄も一目でわかる、しかも場所も取らないように発明されたネクタイハンガーである。
【課題を解決するための手段】
【０００４】  上記の目的を達成するため本発明のネクタイハンガーは、折曲した線材１の両先２をＬ字形に曲げフック４でタンス等に収納できるようにしたものである。
【発明の効果】
【０００５】  本発明は、折曲した線材１の両先２をＬ字形に曲げ底線になる掛け部３にネクタイを掛けるようにしたものである。このネクタイハンガーは、半分に折ったネクタイを両先２の間を通して掛けることができる。またそのまま上方に引くと外すことができる。ネクタイを底辺の掛け部３に複数並べて掛けることができるので柄が一目瞭然に見え選びやすい。しかも場所を取らない。底辺の掛け部３左右に複数のネクタイ５を掛けることで、ネクタイの色分けや夏物と冬物などのように分類ができる。またフック４でタンス等に掛けた時でもバランスが保て傾かない。製造過程も簡単である。
【発明を実施するための最良の形態】
【０００６】  本発明の実施例を図面を参照して説明する。図１は本発明に係るネクタイハンガーの平面図である。図１に示すように線材１を折曲し両先２をＬ字形に曲げその底線の掛け部３にネクタイを掛ける。図２は使用状態を表す実施例図である。ネクタイ５を両先２の間を通して掛け部３に保持することができる。またそのまま上方に引くと外すことができる。以上、説明したように、本発明は、折曲した線材１の両先２をＬ字形に曲げた形と底線の掛け部３、フック４で構成されていることを特徴とするネクタイハンガーである。
【図面の簡単な説明】
【０００７】
【図１】本発明に係るネクタイハンガーの平面図
【図２】同じくネクタイハンガーにネクタイを掛けた実施例図
【符号の説明】
１線材
２Ｌ字型に曲げた線材の先
３底線のネクタイ掛け部
４フック
５ネクタイ
【図１】
2005198993.tif 000003
【図２】
2005198993.tif 000004
(57)【要約】【課題】雄ボタン雌ボタンの形の違いを解消し、また雄雌部材を持たないボタンに嵌合機能を付加するために、雄雌を両設したボタンを提供する。【解決手段】ボタン本体１（５）に嵌合する雄部材となる係合凸部３（７）と雌部材となる係合凹部４（８）を設けることによって、同一形状で雄雌両機能をあわせもつことができるようにし、ボタンホールなどにくぐらせて係止させることもできるようにする。【選択図】図６
2005198996.tif 000002
【特許請求の範囲】
【請求項１】
一個体に、嵌合する雄部材と雌部材の両方の機能を設けたことを特徴とする雄雌両設ボタン。
【発明の詳細な説明】
【技術分野】
【０００１】  本発明は、一個体に、嵌合する雄部材と雌部材の両方の機能を設け、雄ボタン、雌ボタンの別なく嵌合が可能となるようにした雄雌両設ボタンに関するものである。
【背景技術】
【０００２】  従来のボタンは、スナップボタンやホックボタンのように雄ボタン雌ボタンが異なる形のものであったり、ボタンホールなどにくぐらせて係止する縫い付けボタンは雄雌部材を持たないものであった。
【発明の開示】
【発明が解決しようとする課題】
【０００３】  しかしながら、スナップボタンやホックボタンなどに見られる雄ボタン雌ボタンの形の違いは、雄ボタン同士または雌ボタン同士の嵌合をなすことができないという難点があった。また、雄雌部材を持たない縫い付けボタンはボタンホールなどにくぐらせて係止した状態で、更にスナップボタンのように嵌合したい場合に手段がないという難点があった。
本発明は、この課題を解消するためになされたものである。
【課題を解決するための手段】
【０００４】  以上の課題を解決するために、本発明は、ボタン本体１に雄部材となる係合凸部３と、雌部材となる係合凹部４を設け、同じ形で雄ボタン雌ボタンの両機能をあわせもつようにしたボタンである。
また、雄雌部材を持たないボタン本体５に雄部材となる係合凸部７と、雌部材となる係合凸部８を設け、ボタンホールなどにくぐらせて係止する機能にくわえて嵌合機能もあわせもつようにしたボタンである。
【発明を実施するための最良の形態】
【０００５】  以下、本発明の実施の形態について説明する。
（イ）．ボタン本体１（ボタン本体５）の表面に、雄部材となる係合凸部３（係合凸部７）と、雌部材となる係合凹部４（係合凹部８）を設ける。
（ロ）．ひも通し孔２（ひも通し孔６）に糸を通し、布地などに縫い付ける。
（ハ）．任意の場所に（イ）のボタンを縫い付け、嵌合を行う。またはボタンホール９にくぐらせ係止する。
【他の実態形態】
【０００６】  図２の実施形態では係合凸部３と係合凹部４が三対、また図５の実施形態では係合凸部７と係合凹部８が一対であったが、嵌合が可能であれば何対でも良い。また、ボタン本体１（５）の形ならびに雄雌部材の形状は、係止させる機能と嵌合機能に差し支えがない形であれば、どのような形のものでも良い。
【発明の効果】
【０００７】  本発明によれば、雄ボタン雌ボタンの形の違いがなくなり、間違って雄ボタン同士を縫い付けて嵌合できないなどの失敗を防ぐことができる。また、嵌合の自由度が増し、服飾などを使い勝手の良い形にしたり、簡単に毛皮などを脱着させることができる。ボタンホールにくぐらせることも可能なので、裏地の脱着時にボタンホールで係止させる機能を使い、さらに毛皮などを追加で脱着したい時には嵌合機能を使うという多機能さで、ファッションをより楽しむことができる。
【図面の簡単な説明】
【０００８】
【図１】本発明の断面図である。
【図２】本発明の正面図である。
【図３】本発明の使用状態を示す説明図である。
【図４】本発明の断面図である。
【図５】本発明の正面図である。
【図６】本発明の使用状態を示す説明図である。
【符号の説明】
【０００９】  １  ボタン本体
２  ひも通し孔
３  係合凸部
４  係合凹部
５  ボタン本体
６  ひも通し孔
７  係合凸部
８  係合凹部
９  ボタンホール
【図１】
2005198996.tif 000003
【図２】
2005198996.tif 000004
【図３】
2005198996.tif 000005
【図４】
2005198996.tif 000006
【図５】
2005198996.tif 000007
【図６】
2005198996.tif 000008
(57)【要約】【課題】  多くの一般の家具［左右長さが４２ｃｍの整数倍であり、前後長さ（奥行き長さ）が４２ｃｍ］との意匠的な調和を図る。【解決手段】  少なくとも２つの、立方体状の物品収納ボックス１を有している。物品収納ボックス１の前後部は開口３となされている。また、物品収納ボックス１の1辺の長さは４２ｃｍである。相互に隣接する物品収納ボックス１同士は、相互に対向する嵌合凹所１０に、それらに跨るようにして連結ピン（だぼ）を嵌めることにより、連結される。【選択図】  図２
2005198925.tif 000002
【特許請求の範囲】
【請求項１】
少なくとも２つの、立方体状の物品収納ボックスを有し、前記物品収納ボックスの前後部が開口となされている組み立て家具において、前記物品収納ボックスの1辺の長さが４２ｃｍである組み立て家具。
【発明の詳細な説明】
【技術分野】
【０００１】
本発明は組み立て家具に関する。
【背景技術】
【０００２】
従来、この種の組み立て家具として以下の如きものは知られている。
少なくとも２つの、立方体状の物品収納ボックスを有し、前記物品収納ボックスの前後部が開口となされているものは知られている。
【特許文献１】特開平８−３６６号公報
【発明の開示】
【発明が解決しようとする課題】
【０００３】
前記従来の組み立て家具には以下の如き欠点があった。
前記従来の物品収納ボックスは、1辺の長さが４２ｃｍでなかったので、多くの一般の家具［左右長さが４２ｃｍの整数倍であり、前後長さ（奥行き長さ）が４２ｃｍ］との意匠的な調和を図ることが困難であるという欠点があった。
【課題を解決するための手段】
【０００４】
本発明は前記欠点を解消するために以下の如き手段を採用した。
請求項１の発明は、少なくとも２つの、立方体状の物品収納ボックスを有し、前記物品収納ボックスの前後部が開口となされている組み立て家具において、前記物品収納ボックスの1辺の長さが４２ｃｍであるものである。
【発明の効果】
【０００５】
本発明は前記した如き構成によって以下の如き効果を奏する。
請求項１の発明によれば、多くの一般の家具［左右長さが４２ｃｍの整数倍であり、前後長さ（奥行き長さ）が４２ｃｍ］との意匠的な調和がとりやすい。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
立方体状の物品収納ボックス１は、上板４、下板５、左板６及び右板７を有している。前記物品収納ボックス１の前後部は開口３となされている。
前記上板４、下板５、左板６及び右板７は、厚みが２０〜４０ｍｍ程度の木質系素材から構成されている。
物品収納ボックス１の1辺の長さ「Ｌ」は、４２ｃｍである。
【０００８】
前記上板４、下板５、左板６及び右板７各々には、それらを当接させた際、相互に重なる４つの外方に開放した嵌合凹所１０が形成されている。即ち、上板４及び下板５の、前側の２つの嵌合凹所１０は、前縁から「ｍ」の位置で、且つ、物品収納ボックス１の左縁又は右縁から「ｍ」の位置に形成され、上板４及び下板５の、後側の２つの嵌合凹所１０は、物品収納ボックス１の後縁から「ｍ」の位置で、且つ、物品収納ボックス１の左縁又は右縁から「ｍ」の位置に形成されている。左板６及び右板７の、前側の２つの嵌合凹所１０は、物品収納ボックス１の前縁から「ｍ」の位置で、且つ、物品収納ボックス１の上縁又は下縁から「ｍ」の位置に形成され、左板６及び右板７の、後側の２つの嵌合凹所１０は、物品収納ボックス１の後縁から「ｍ」の位置で、且つ、物品収納ボックス１の上縁又は下縁から「ｍ」の位置に形成されている。
【０００９】
相互に隣接する物品収納ボックス１同士は、相互に対向する嵌合凹所１０に、それらに跨るようにして連結ピン（だぼ）を嵌めることにより、連結される。
【００１０】
図３には、部屋１２の床１３に側壁１４に沿うかたちで組み立てられた組み立て家具が示されている。
図４には、階段下に形成された収納庫の収納空間に収納可能なように、又は、猫等の遊び場として利用可能なように、組み立てられた組み立て家具が示されている。
図５には、部屋１２の床１３に、部屋１２を前後に（図５の紙面表側部と図５の紙面裏側部とに）仕切るように、図５の左側の側壁１４に物品収納ボックス１の左板６を当接させるようにして組み立てられた組み立て家具が示されている。なお、物品収納ボックス１は前後部に開口３を有するものであるから、図５の組み立て家具は、部屋１２を前後に仕切るといっても、視覚的に完全に仕切るものではない。
図６には、部屋１２の床１３に、縦３個、横２個の合計６個の物品収納ボックス１を密接状態で載置して、それらをテーブルとし、テーブルとの間に所定間隔をあけるようにして床１３に４個の物品収納ボックス１を載置して、それらをイスとした組み立て家具が示されている。テーブルの上面に天板を載置するようにしてもよい。
【００１１】
以下に変形例等について説明を加える。
（１）嵌合凹所１０を貫通孔とし、これら貫通孔を利用してボルト・ナットで物品収納ボックス１同士を連結するようにしてもよい。
（２）物品収納ボックス１の素材は任意である。
【図面の簡単な説明】
【００１２】
【図１】本発明の実施の形態を示す正面図である。
【図２】図１のＩＩ−ＩＩ線に沿う一部破砕矢視図である。
【図３】組み立て家具の組み立て例を示す簡略正面図である。
【図４】組み立て家具の組み立て例を示す簡略正面図である。
【図５】組み立て家具の組み立て例を示す簡略正面図である。
【図６】組み立て家具の組み立て例を示す簡略平面図である。
【符号の説明】
【００１３】
１  物品収納ボックス
３  開口
【図１】
2005198925.tif 000003
【図２】
2005198925.tif 000004
【図３】
2005198925.tif 000005
【図４】
2005198925.tif 000006
【図５】
2005198925.tif 000007
【図６】
2005198925.tif 000008
(57)【要約】【課題】歩行等の運動時に長足底靱帯への圧迫を防止することができる足底板を提供すること。【解決手段】人間の足底アーチに対応する凹凸部を有する足底板において、足底アーチの長足底靱帯に対応する部分に窪み部２を設け、この窪み部２にクッション材３を装着した。【選択図】図１
2005198960.tif 000002
【特許請求の範囲】
【請求項１】
人間の足底アーチに対応する凹凸部を有する足底板において、足底アーチの長足底靱帯に対応する部分に窪み部を設けたことを特徴とする足底板。
【請求項２】
前記窪み部にクッション材を装着した請求項１に記載の足底板。
【発明の詳細な説明】
【技術分野】
【０００１】
本発明は、靴底や靴の中敷等として使用される足底板に関するものである。
【背景技術】
【０００２】
二足直立歩行を行う人間の足底には、図３に示すように、踵骨５と種子骨６との間に弓形の「足底アーチ」と呼ばれる構造が形成されている。この足底アーチは、頭蓋から、頸椎、腰椎、骨盤、大腿骨、膝蓋骨、及び下腿骨を経て人間の体重を支え、直立姿勢を保持する上で、非常に重要な働きをしている。したがって、足底アーチが崩れ、人間の土台が崩れると、頭蓋までの正しい直立姿勢が保持できなくなり、膝の痛み、腰痛、猫背等の原因になり、また、内臓を圧迫する姿勢となって万病を引き起こす原因にもなる。
【０００３】
このように、正常な足底アーチの保持は、人間の健康にとって非常に重要であり、このアーチを保持するために、従来、例えば特許文献１に記載されているように、足底アーチに対応する凹凸部を有する足底板を靴底や靴の中敷等として使用することが行われている。
【０００４】
この足底板の使用は、足底アーチの保持に有効な手段ではあるが、足底アーチは、常に同じ形状をとっているわけではない。すなわち、足底アーチの両端にある踵骨５と種子骨６は図４に符号７で示す「長足底靱帯」と呼ばれる靱帯によって連結されており、長足底靱帯７が歩行等の運動時に伸縮し、それに伴って足底アーチの形状も変化する。この長足底靱帯７は足底アーチの保持に最も重要な役割を果たしており、足底板の構造も長足底靱帯７の伸縮性を考慮したものとすることが重要である。
【０００５】
これに対して、上述の特許文献１に記載の足底板では、長足底靱帯の伸縮性は考慮されておらず、歩行等の運動時に長足底靱帯が伸びて足底アーチの高さが低くなる度に、足底板のアーチに対応する凸部によって長足底靱帯が圧迫され、これが長時間の歩行等によって何千回、何万回と繰り返されると長足底靱帯が疲労し、ひいては長足底靱帯の伸縮性（弾力性）が失われ、足底アーチの形状を保持できなくなってしまう。
【特許文献１】登録実用新案第３０５５３６８号公報
【発明の開示】
【発明が解決しようとする課題】
【０００６】
本発明が解決しようとする課題は、歩行等の運動時に長足底靱帯への圧迫を防止することができる足底板を提供することにある。
【課題を解決するための手段】
【０００７】
本発明は、人間の足底アーチに対応する凹凸部を有する足底板において、足底アーチの長足底靱帯に対応する部分に窪み部を設けたことを特徴とするものである。この窪み部にはクッション材を装着してもよい。
【発明の効果】
【０００８】
本発明によれば、足底アーチの長足底靱帯に対応する部分に窪み部が設けられているので、運動時に足底板によって長足底靱帯が圧迫されることがなく、長時間の歩行等によっても長足底靱帯の疲労を軽減でき、足底アーチを健全な形状に保持することができる。
【発明を実施するための最良の形態】
【０００９】
以下、図面に示す実施例に基づいて本発明の実施の形態を説明する。
【００１０】
図１は本発明の足底板を示す斜視図、図２は図１のＡ−Ａ断面図である。図面に示す足底板は、図３に示した人間の足底アーチに対応する凸形状のアーチ部１を有し、このアーチ部１によって足底アーチを支持して保持するようになっている。そして、アーチ部１には、図４に示した長足底靱帯に対応する部分に窪み部２が形成され、この窪み部２には軟質の発砲ゴム等がクッション材３として装着されている。足底板の表面全体には、なめし皮４が貼られている。
【００１１】
この足底板は以下の手順によって作製される。まず、実際に使用者の足型をとり、その使用者の足底アーチ型を作製する。次に、修正部分の研削を考慮して少し大きめの足底板の原板を作製し、この足底板の原板から、足底アーチ型をなぞりながら足底アーチ型どおりの形状に研削する方式の研削機等を用いて、足底アーチ型と同じ形状のアーチ部１を有する足底板を作製する。さらに、これを実際の使用者に履いてもらい微調整を行う。その後、使用者の長足底靱帯の位置、長さ、幅等の実測データから、足底板における長足底靱帯に対応する部分を把握し、打ち抜きプレス機等で打ち抜くことによって窪み部２を形成する。そして、窪み部２にクッション材３を装着し、最後になめし皮４を表面に貼ると足底板が完成する。
【００１２】
以上、実施例では、窪み部２にクッション材３を装着したがクッション材３は必須ではない。また、実施例では、クッション材３を足底板の表面と面一になるように装着したが、足底板の表面から若干突出するように装着してもよい。さらに、実施例では、窪み部２を打ち抜きによって形成したが、研削等によって有底の窪み部を形成してもよい。
【産業上の利用可能性】
【００１３】
本発明は、靴底や靴の中敷等として利用可能なほか、下駄の表面にて貼着又は載置して利用することもできる。下駄用の場合は、足底板に下駄の鼻緒を装着するための切り欠き等を形成して利用する。
【図面の簡単な説明】
【００１４】
【図１】本発明の足底板を示す斜視図である。
【図２】図１のＡ−Ａ断面図である。
【図３】人間の足底を示す側面図である。
【図４】人間の足底の長足底靱帯を示す図である。
【符号の説明】
【００１５】
１  アーチ部
２  窪み部
３  クッション材
４  なめし皮
５  踵骨
６  種子骨
７  長足底靱帯
【図１】
2005198960.tif 000003
【図２】
2005198960.tif 000004
【図３】
2005198960.tif 000005
【図４】
2005198960.tif 000006
(57)【要約】      （修正有）【課題】液体と固体の食材を一定時間同時に投入することができ、例えば豆乳などの調理を可能としたジューサーを提供する。【解決手段】容器蓋に着脱自在のホッパーを備え、ホッパーは固体食材投入部と液体タンク部により構成し、液体タンク部に液体の滴下・停止を自在におこなう開閉手段を設けたものである。【選択図】図１
2005198936.tif 000002
【特許請求の範囲】
【請求項１】
電動機を内蔵する本体と、本体上に載置される容器と、容器の上部開口を覆う容器蓋と、電動機により回転駆動する分離籠と、前記容器蓋に着脱自在のホッパーを備え、前記ホッパーは固体食材投入部と液体タンク部により構成し、液体タンク部に液体の滴下・停止を自在におこなう開閉手段を設けたジューサー。
【請求項２】
長手方向の途中に鍔を備えた棒を付属した請求項１に記載のジューサー。
【請求項３】
ホッパーの出口に鍔が引っかかり、棒が通過できないことを特徴とした請求項１および請求項２に記載のジューサー。
【発明の詳細な説明】
【技術分野】
【０００１】
本発明は、一般家庭にて使用するジューサーに関するものである。
【背景技術】
【０００２】
従来、この種のジューサーは図４に示すように、電動機１０１を内蔵する本体１０２と、本体１０２上に載置される容器１０３と、容器の上部開口を覆い、食材投入口１０４を有した容器蓋１０５と、電動機１０１により回転駆動するカッター１０６を設けた分離籠１０７により構成されている。
【特許文献１】特開平４−２２４５号公報
【発明の開示】
【発明が解決しようとする課題】
【０００３】
しかしながら上記従来の構成では、液体と固体の食材を一定時間同時に投入することができないという課題を有してした。
【０００４】
本発明は、前記従来の課題を解決するもので、液体と固体の食材を一定時間同時に投入することができ、例えば豆乳などの調理を可能としたジューサーを提供することを目的とする。
【課題を解決するための手段】
【０００５】
前記従来の課題を解決するために、本発明のジューサーは、電動機を内蔵する本体と、本体上に載置される容器と、容器の上部開口を覆う容器蓋と、電動機により回転駆動する分離籠と、前記容器蓋に着脱自在のホッパーを備え、前記ホッパーは固体食材投入部と液体タンク部により構成し、液体タンク部に液体の滴下・停止を自在におこなう開閉手段を設けた構成としたものである。
【０００６】
これによって、液体と固体の食材を一定時間同時に投入することができできるものである。
【発明の効果】
【０００７】
本発明のジューサーは、液体と固体の食材を一定時間同時に投入することができ、例えば良質な豆乳などの調理を実現することが可能となる。
【発明を実施するための最良の形態】
【０００８】
第１の発明は、電動機を内蔵する本体と、本体上に載置される容器と、容器の上部開口を覆う容器蓋と、電動機により回転駆動する分離籠と、前記容器蓋に着脱自在のホッパーを備え、前記ホッパーは固体食材投入部と液体タンク部により構成し、液体タンク部に液体の滴下・停止を自在におこなう開閉手段を設けたことにより、液体と固体の食材を一定時間同時に投入することができ、例えば良質な豆乳などの調理を実現することができる。
【０００９】
第２の発明は、長手方向の途中に鍔を備えた棒を付属したことにより、投入口跳ね返ってきた固体の機体外への飛び出しを鍔により防ぐことができる。
【００１０】
第３の発明は、ホッパーの出口に鍔が引っかかり、棒が通過できないことにより、棒が投入口から回転する分離籠内に接触することを防ぐことができる。
【００１１】
以下、本発明の実施の形態について、図面を参照しながら説明する。なお、この実施の形態によって本発明が限定されるものではない。
【００１２】
（実施の形態）
図１から図３は、本発明の実施の形態におけるジューサーを示すものである。
【００１３】
図１から図３において、１は電動機２を内蔵する本体である。本体１上には容器３が載置され、容器３の上部開口を容器蓋４により覆う構成となっている。容器蓋４には通常食材を投入する購入口５が設けられている。６は電動機２により回転する分離籠であり、分離籠６の内底面にはカッター７が設けられている。ホッパー８は容器蓋４の投入口５に着脱自在に差し込まれ、ホッパー８は固体食材投入部であるホッパー本体９と着脱自在の液体タンク部１０により構成されている。また、液体タンク部１０はボタン１１、昇降軸１２、バネ１３、シールリング１４によりボタン１１を押すとタンク内の液体が滴下することとなる。１５は本機器にて製造したジュースを回収するジュース容器である。
【００１４】
以上のように構成されたジューサーについて、以下その動作、作用を説明する。
【００１５】
まず、豆乳（生ご）を作る場合において、ホッパー本体９に浸漬させた大豆１６を入れ、次に液体タンク部１０に水１７をセットする。その状態で電動機２を回転させると、分離籠６とカッター７が回転し、大豆１５を微細に切削し始める。この時にボタン１１を押し液体タンク部１０内の水１７を大豆１６と同時に滴下させる。こうすることによって、切削された大豆１６の成分が効率的に水とともにジュース容器１５に回収され濃度の高い良質の豆乳を製造することができる。良質の豆乳は大豆の切削と同時に水を滴下させないと製造することができない。また、本実施例にて明白な通り液体タンク部１０内の水１７は滴下、停止がボタン１１の操作で自在であり、勝手に分離籠６に水が滴下してしまうことを防止でき使い勝手が非常に良くなる。
【００１６】
また、上記の豆乳調理において大豆１６がホッパー本体９にてブリッジしてしまい分離籠６方向に落下しない場合はへら棒１８でブリッジ状態を突き崩し調理を継続することができる。また調理過程の終盤においてカッター７の回転により大豆が跳ね上がり機体外に飛び出す可能性がある。しかしながら、へら棒１８は途中に鍔１９を備えているため跳ね上がりを止めることができる。
【００１７】
また、へら棒１８の鍔１９はホッパーの出口２０より寸法的に大きいため、へら棒１８を突っ込みすぎてカッター７に当ててしまうことを防ぐことができる。
【産業上の利用可能性】
【００１８】
以上のように、本発明にかかるジューサーは、良質の豆乳製造が可能となり、他の機器、例えば、回転調理機器等の用途にも適用できる。
【図面の簡単な説明】
【００１９】
【図１】本発明の実施の形態におけるジューサーの断面図
【図２】本発明の実施の形態におけるホッパーの斜視図
【図３】本発明の実施の形態におけるへら棒を差し込んだジューサーの断面図
【図４】従来のジューサーの断面図
【符号の説明】
【００２０】
１  本体
２  電動機
３  容器
４  容器蓋
６  分離籠
８  ホッパー
９  ホッパー本体
１０  液体タンク部
１８  へら棒
１９  鍔
【図１】
2005198936.tif 000003
【図２】
2005198936.tif 000004
【図３】
2005198936.tif 000005
【図４】
2005198936.tif 000006
(57)【要約】  【課題】  ゴルフクラブカバーにゴルフクラブヘッドの付着物を排除する機能を付加することを課題とする。  【解決手段】  ゴルフクラブのヘッドを覆うカバーであり、カバー本体と、前記カバー本体の前記ヘッドの打撃面が接する内面に設けられるゴルフクラブヘッドに付着した付着物を排除する付着物排除手段とを有するものである。このような構成により、ゴルフクラブヘッドに本ゴルフクラブカバーを装着した際に、付着物排除手段により打撃面に付いた砂などの付着物を取り除くことができるので、プレイヤーはブラシなど余分な道具を持ち歩くことなく、簡易にゴルフクラブヘッドの打撃面についた付着物の除去を行うことが可能となる。【選択図】  図１
2005198939.tif 000002
【特許請求の範囲】
【請求項１】
ゴルフクラブのヘッドを覆うカバーであって、
カバー本体と、
前記カバー本体の前記ヘッドの打撃面が接する内面に設けられるゴルフクラブヘッドに付着した付着物を排除する付着物排除手段と
を有するゴルフクラブカバー。
【請求項２】
前記付着物排除手段は、ブラシである請求項１に記載のゴルフクラブカバー。
【発明の詳細な説明】
【技術分野】
【０００１】
本発明はゴルフクラブのヘッド部分を覆うカバーに関し、特にヘッドに付着する砂などを排除することのできるカバーに関する。
【背景技術】
【０００２】
ゴルフは自然の中で行うスポーツであるので、ゴルフクラブのヘッド部分は使用するたびにどうしても砂などが付着する。従来は、このような付着物は、キャディが携帯するブラシや、ティーの先端部分で擦って落としたりしていた。
【発明の開示】
【発明が解決しようとする課題】
【０００３】
ところでティーの先端で擦るのは面倒な作業であるとともに、ティーやクラブの溝を傷めてしまうことになる。また、近年はキャディを連れないでカートでコースを回ることも多く、ブラシを貸してもらえない状況も多い。このような場合、プレイヤーがブラシを携帯すればよいのであるが、いちいちブラシを携帯し必要に応じて出し入れするのは面倒である。
一方、ゴルフクラブカバーはクラブのヘッドを保護するために必需品であるが、クラブのヘッドをカバーする以外の機能は付加されていない。このクラブカバーにヘッドの清掃機能を付加すればプレイヤーの利便性が高まると考えられる。
そこで、本発明はこのような状況に鑑み、ゴルフクラブカバーにゴルフクラブヘッドの付着物を排除する機能を付加することを課題とする。
【課題を解決するための手段】
【０００４】
上記課題を解決するために、本発明は次のような構成を有する。
請求項１に記載の発明は、ゴルフクラブのヘッドを覆うカバーであり、カバー本体と、前記カバー本体の前記ヘッドの打撃面が接する内面に設けられるゴルフクラブヘッドに付着した付着物を排除する付着物排除手段とを有するものである。
請求項２に記載の発明は、前記付着物排除手段は、ブラシにより形成されるものである。
【発明の効果】
【０００５】
請求項１に記載の発明は、ゴルフクラブカバーの内面の打撃面に接するゴルフクラブに付着した付着物を排除する付着物排除手段が設けられるので、ゴルフクラブヘッドに本ゴルフクラブカバーを装着した際に、付着物排除手段により打撃面に付いた砂などの付着物を取り除くことができる。従って、プレイヤーはブラシなど余分な道具を持ち歩くことなく、簡易にゴルフクラブヘッドの打撃面についた付着物の除去を行うことが可能となる。
請求項２に記載の発明は、前記付着物除去手段をブラシにより形成しているので、ゴルフクラブヘッドにカバーを装着した後に、内部のブラシを打撃面にこすり付けるようにカバーを動かすことで簡易にクラブヘッドの付着物を落とすことができる。
【発明を実施するための最良の形態】
【０００６】
以下、本発明の実施の形態について、図面を参照しながら説明する。
図１に本実施の形態に係るゴルフクラブカバーの一部破断正面図を示す。本ゴルフクラブカバーはサンドウェッジ用である。本ゴルフクラブカバーのカバー本体１は袋状をしており、外面１ａが皮革で形成されるとともに、内面１ｂは布で覆われ、内面と外面の間にはクッション材が挟まれている。そして、カバー本体１の内面１ｂにおけるゴルフクラブＸの打撃面が接触する位置には、この打撃面よりもやや大きい小判状の植物繊維により構成されるブラシ２が接着剤により固定されている。なお、ブラシ１は植物繊維の他、合成樹脂などで形成することもできる。また、ブラシ１は接着のほか内壁に縫い付けたり、内壁にブラシの外周縁に係合する溝を設け、ブラシ１を着脱自在に形成することも可能である。
次に、以上のような構成を有するゴルフクラブカバーの使用方法について説明する。まず、ゴルフのプレイヤーは、ゴルフクラブを使用したのちに、ヘッド部分に本ゴルフクラブカバーを装着する。そして、外側から、ゴルフクラブのヘッドの打撃面を抑えながら前後左右に動かす。この動作により、内面に設けられたブラシ１がヘッドの打撃面を擦ることになり、これにより打撃面に付着している砂などが除かれることになる。なお、付着物が軽微な場合は、ゴルフクラブカバーの着脱のみでも、ヘッドの打撃面がブラシ２により擦られ付着物を排除することが可能である。
【０００７】
（変形例）
図１では、サンドウェッジ用のゴルフクラブカバーを示したが、本発明はゴルフクラブであればどのようのものでも使用でき、アイアン、パター、ウッド等すべての種類に適用可能である。図２に本発明に係るウッド用のゴルフクラブカバーの一部破断正面図を示す。ウッド用のクラブカバーは種々の形態があるが、ここに示すものは柔軟な素材で形成された円筒状の本体を有するカバーであり、やはり内面のヘッドの打撃面が位置する部分にブラシ２が設けられている。
また、上記実施の形態ではブラシ２はブラシは打撃面に面する位置にのみ設けられているが、図３に示すように、打撃面が面する方の内面すべてにブラシ２を設けるようにしてもよい。このようにすることで、カバーを着脱する際にブラシが打撃面を擦る量が大きくなるので、着脱動作により排除できる付着物の量を増やすことができる。
さらに、上記実施の形態では付着物排除手段としてブラシを用いているが、このほかにスポンジなどの多くの穴を持つ材料や、粘着素材などを用いることも考えられる。
【図面の簡単な説明】
【０００８】
【図１】実施の形態に係るゴルフクラブカバーの一部破断正面図である。
【図２】実施の形態に係るゴルフクラブカバーの他の例を示す一部破断正面図である。
【図３】実施の形態に係るゴルフクラブカバーの変形例を示す一部破断正面図である。
【符号の説明】
【０００９】
１    カバー本体
１ａ  カバー本体内面
２    ブラシ
【図１】
2005198939.tif 000003
【図２】
2005198939.tif 000004
【図３】
2005198939.tif 000005
(57)【要約】【課題】  運動会の表彰記念として、また敬老祝賀会の長寿記念として贈ることのできる記念名を設けた記念の表示欄付き植木鉢を提供する。【解決手段】  植木鉢の側面に、印刷、浮き彫り、プレート加工などで記念名を設けたことを特徴とする記念の表示欄付き植木鉢。【選択図】  図１
2005198667.tif 000002
【特許請求の範囲】
【請求項１】
植木鉢の側面に記念名の表示欄を設けたことを特徴とする記念の表示欄付き植木鉢。
【発明の詳細な説明】
【発明の詳細な説明】
【技術分野】
【０００１】  本発明は、植木鉢の側面に記念名の表示欄を設けたもので、たとえば運動会の表彰記念として、また敬老祝賀会の長寿記念として贈ることができる記念の表示欄付き植木鉢に関するものである。
【背景技術】
【０００２】  従来、たとえば学童の運動会で表彰するときの記念品には高価なトロフィーは贈ることができず、単なる物品ですましていた。
また、敬老祝賀会の長寿記念でも高価な祝い額は贈ることができず単なる物品を贈ることが多かった。
【発明の開示】
【発明が解決しようとした課題】
【０００３】  そのために、次のような問題点があった。
表彰記念や長寿記念の象徴ともいうべきトロフィーや祝い額が贈られないため、せっかくの思い出も部屋に飾ることができず、表彰や長寿祝いなどの感動をいつまでも味わい楽しむことができなかった。
本発明は以上の問題点を解決しようとするものである。
【課題を解決するための手段】
【０００４】  プラスチックや陶磁器などで作った植木鉢の側面に記念名の表示欄を設ける。
そして、記念名を設けた植木鉢に草花を植栽して、表彰記念や長寿記念として贈ることによって、その思い出を部屋に飾ることができ、表彰や長寿祝いなどの感動をいつまでも味わい楽しむことができるようにした。
以上を特徴とする記念の表示欄付き植木鉢である。
【発明の効果】
【０００５】  本発明により、学童の運動会での表彰、敬老祝賀会での長寿祝いなどの思い出や感動を持続的に味わい楽しむことができるようになった。
また、自然環境の大切さが叫ばれる昨今、花一杯運動にも寄与することができる。
【発明を実施するための最良の形態】
【０００６】  以下、本発明の実施の形態を説明する。
イ、植木鉢本体（１）の材質は、プラスチック、ファイバーグラス、陶磁器などで成型      する。
ロ、植木鉢本体（１）の側面に、記念名の表示欄（２）を設ける。
ハ、記念名の表示欄（２）は、印刷、浮き彫り、プレート加工などにより設ける。
本発明は、以上の構成よりなっている。
本発明を使用するときは、植木鉢本体（１）に草花を植歳して使用する。
また、草花の種子と植木鉢を化粧箱に入れて提供、使用する。
【図面の簡単な説明】
【０００７】
【図１】本発明の側面図である。
【図２】本発明の側面図である。
【図３】本発明の他の実施例を示した側面図である。
【図４】本発明の他の実施例を示した側面図である。
【符号の説明】
【０００８】  １  植木鉢本体
２  記念名の表示欄
【図１】
2005198667.tif 000003
【図２】
2005198667.tif 000004
【図３】
2005198667.tif 000005
【図４】
2005198667.tif 000006
(57)【要約】【課題】本考案は、食後感が爽やかなデザートに、生薬の薬効をそえて提供することを目的とします。【解決手段】薬事法に抵触しない（食品として扱える）薬効効果の高い生薬を粉末にし、低温殺菌し、アイスクリーム、アイスミルク、ラクトアイスのベース（牛乳、生クリーム、卵黄等のミックス）に添加して氷菓に仕立てます。粉末生薬は以下の組み合わせでベースに加えます。  高麗人参と山薬（効果：滋養強壮、体力増強）  ハトムギとどくだみ（効果：肌の美容）  紫蘇の葉と大（効果：精神安定、リラックス）  グアバの実と連銭草（効果：血糖値の降下）  連銭草と羅漢果（効果：血糖値の降下）  グアバの実とタンポポの根（効果：血糖値の降下）【特許請求の範囲】
【請求項１】
薬事法に抵触せず、食品として扱える薬効効果の高い生薬を粉末にし、低温殺菌し、アイスクリーム、アイスミルク、ラクトアイスのベース（牛乳、生クリーム、卵黄等のミックス）に添加して仕立てる氷菓とその製造方法
【発明の詳細な説明】
【技術分野】
【０００１】  本考案は、薬事法に抵触しない（食品として扱える）薬効効果の高い生薬を粉末にし、低温殺菌し、アイスクリーム、アイスミルク、ラクトアイスのベース（牛乳、生クリーム、卵黄等のミックス）に添加して仕立てる氷菓に関するものです。
【背景技術】
【０００２】従来から生薬の入った食品は薬事法に関係する場合が多いため、不特定多数の消費者に対して販売する食品に一般生薬を混入しようとする発想がありませんでしたが、これは、薬事法に抵触しない生薬を薬効効果を損なわず、効率よく使用するためにエキスの抽出をせず、丸ごと粉末にして添加した、これまでにない氷菓です。
【発明の開示】
【発明が解決しようとする課題】
【０００３】生薬の入った食品は薬事法の関係で扱いが難しく、また生薬は健康には良いですが苦味があり、特異な匂いもあり食しにくいという問題点があります。
【課題を解決するための手段】
【０００４】薬事法に抵触しない薬効効果の高い生薬を粉末にし、低温殺菌し、アイスクリーム、アイスミルク、ラクトアイスのベース（牛乳、生クリーム、卵黄等のミックス）に添加して氷菓に仕立てることで、問題点を解決します。
生薬のもつ特異な匂いや苦味を、氷菓に仕立てることで抑え、
薬効を損なわずにおいしいデザートとしての氷菓を提供します。【０００５】粉末生薬は以下の組み合わせでベースに加えます。
高麗人参と山薬（効果：滋養強壮、体力増強）
ハトムギとどくだみ（効果：肌の美容）
紫蘇の葉と大棗（効果：精神安定、リラックス）
グアバの実と連銭草（効果：血糖値の降下）
連銭草と羅漢果（効果：血糖値の降下）
グアバの実とタンポポの根（効果：血糖値の降下）
【発明の効果】
【０００６】生薬の薬効を損なわずに、食後感が爽やかなデザートを提供します。
高麗人参と山薬（効果：滋養強壮、体力増強）
ハトムギとどくだみ（効果：肌の美容）
紫蘇の葉と大棗（効果：精神安定、リラックス）
グアバの実と連銭草（効果：血糖値の降下）
連銭草と羅漢果（効果：血糖値の降下）
グアバの実とタンポポの根（効果：血糖値の降下）
【発明を実施するための最良の形態】
【０００７】流通形態は２つあります。
１  でき上がったアイスクリーム、アイスミルク、ラクトアイスとしての流通。
２  ベース（牛乳、生クリーム、卵黄等のミックス）と添加する生薬を別容器に入れてセットでの流通。（この場合は各消費者が好みで甘みの調整などができます）
(57)【要約】【課題】  擬餌鉤の製造に石油系樹脂の玉を丸耳直近部に固定して取りつけたり擬餌を瞬間接着剤を多用して鉤に固定する方法を改めカッターナイフで切断できる程度の柔軟な蛍光玉に代替し、擬餌も合成ゴムひもの巻きつけとその巻きつけが釣りに充分耐えうる程度の部分接着によって鉤を他の釣りに転用できるようにする。【解決手段】  図１の鉤１を固定し、ハリス４の結び目に蛍光体物質５を取り付ける。次に、外径小６に図２の擬餌１０−１を押し当てその一端に合成ゴムひもを外径と一緒に巻き、合成ゴム結び目１１−１に瞬間接着剤を部分接着１２−１して蛍光体物質５に当るまで合成ゴム結び目１１−２の位置に移動させ一本の擬餌鉤を完成させる。【選択図】  図２
2005198638.tif 000002
【特許請求の範囲】
【請求項１】
リサイクル形態の擬餌鉤を製造する方法は、瞬間接着剤を全面に用いた固定式が理想的ではなく、本発明の一つとして合成ゴムひもを用いそれを結ぶことで成し、もう一つは夜光玉をカッターナイフで切断できる柔軟な物質の蛍光体と成させるものを取付なければならないが、その製造において一つの工具を作成する必要がある。その工具は金属又はプラスチックからなる棒と成し、その外径は可能な限り細くした部分とそれより大きな外径から成り、その二つの外径の間をテーパーと成し、その大きな外径の端面（断面）に適宜の深さの適宜の孔を開ける。その工具を用いて、まづ鉤にハリスを結びつけた鉤に蛍光玉をハリスの結び目の上に取り付け次に、鉤の鉤先を工具の大きな外径の断面に開けられた孔に差し入れ鉤を固定し、小さな外径部に擬餌を押し当てその端をゴムひもが切れない程度の適宜の締付力で引張りながら、その外径ごと巻きつけ一重結びとするか結ばずにゴムひもを交差させるだけにして、ゴムひもが釣りの最中に充分耐えうる強さの程度の瞬間接着剤を上記の結び目及び交差部分のみの部分接着でゴムひもが解けないようにし、接着したあとに余ったゴムひもを切除し外径のテーパーから大きな外径へと擬餌もろともスライドさせ更に、本発明用の鉤に設けた二つのカエリを越えさせ蛍光玉に当るまでスライドさせて押し入れ、一本の擬餌鉤を完成させる。
【発明の詳細な説明】
【発明の詳細な説明】
【技術分野】
【０００１】本発明は、擬餌鉤としての形態をリサイクルできるような形に改良なされたものである。
【背景技術】
【０００２】従来は、擬餌鉤の丸耳直近部に固く丸い石油系樹脂を鉤そのものに固定され擬餌の取り付けも鉤に瞬間接着剤で固定されていて使い捨てとなっていて、釣場が汚れたり海中の自然環境に悪影響を及ぼしていた。
【発明が解決しようとする課題】
【０００３】従来、擬餌鉤は使い捨てとして製造されていていろいろな魚を釣る立場がらサビキ釣りの場合三本切り取られた場合釣果が少なくなるので新しい仕掛けに取り替えるものだが古い仕掛けに残された擬餌鉤を他に転用しようとしても固い石油系樹脂の夜光玉が丸耳直近部に固定されていてそのため刃物が立たず除去できなかったり擬餌も接着剤で鉤に固定されていて刃物が立たずやむなく捨てるより他に方法はなかった。本発明は、この課題を解消するためになされたものである。
【課題を解決するための手段】
【０００４】リサイクル擬餌鉤とするためには固定方式ではなく一つの部品を合成ゴムひも（生地及び糸を巻いた物）を用いそれを結ぶことで成し、もう一つの部品をカッターナイフで切断できる柔軟な物質の蛍光体と成させたものを取り付ける方式でなければならないが、それを図１の鉤１のハリス４の結び目に蛍光体物質５を取り付ける。次に、図２の擬餌１０−１を擬餌１０−２となるように、合成ゴムひも結び目１１−１を合成ゴム結び目１１−２となるように、蛍光体物質５の位置までスライドさせて押し入れることによって要易に一本の擬餌鉤を完成できる。
【発明を実施するための最良の形態】
【０００５】  以下、本発明の実施の形態について説明する。
（イ）図１の１にあるハリス４の結び目の上から蛍光体物質５を取り付ける。
（ロ）図１の外径小６に図２の擬餌１０−１を押し当て、合成ゴム結び目１１−１となるように外径と共に巻きつけ、部分接着部１２のみ接着して矢印の方向に蛍光体物質５まで合成ゴム結び目１１−２となるように押し入れる。
【発明の効果】
【０００６】擬餌鉤の製造を合成ゴムの締め付け方式にすることによって残った鉤を他の釣り鉤に転用できる。又、蛍光玉及び合成ゴムの細ひもは安価で瞬間接着剤も結び目が解けない程度の部分接着でよいので製造コストもかからずに済む。
【図面の簡単な説明】
【図１】    本発明の蛍光玉を鉤に取り付けた平面図である。
【図２】    本発明の擬餌を鉤に取り付けた平面図である。
【符号の説明】
【図１】
１      鉤
２−１  カエリ              ２−２  カエリ
３      丸耳
４      ハリス
５      蛍光体物質
６      外径小
７      外径大
８      鉤先差込み孔（断面図）
９      テーパー
【図２】
１０−１  擬餌              １０−２  擬餌
１１−１  合成ゴム結び目    １１−２  合成ゴム結び目
１２−１  部分接着部        １２−２  部分接着部
【図１】
2005198638.tif 000003
【図２】
2005198638.tif 000004